【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
一つのマイクロレンズに対して、撮像光学系の射出瞳の異なる領域を通過した光束を光電変換して画像信号を生成する複数の光電変換部を有する画素部を備える撮像素子と、
前記画素部から画像信号を読み出す領域である読み出し領域を設定する設定手段と、
前記設定された読み出し領域から読み出された画像信号に基づいて、表示用画像データを生成する生成手段と、
前記表示用画像データの画像表示手段への表示処理と表示された表示用画像データの更新処理を制御する表示制御手段と、
前記読み出し領域から読み出された画像信号に含まれる第１の画像信号と第２の画像信号との位相差を検出し、検出した位相差と該位相差の信頼度を出力する検出手段と、
前記位相差の信頼度が閾値を超える高い場合に、該検出された位相差に基づいて焦点調節処理を実行する調節手段とを備え、
前記設定手段は、前記位相差の信頼度が閾値以下の低い場合に、前記出力される位相差の信頼度が高くなるように前記読み出し領域を更新する
ことを特徴とする撮像装置。
【請求項２】
前記撮像素子が備える前記画素部は、水平方向および垂直方向に配列しており、
前記検出手段は、前記設定された読み出し領域の水平方向１ライン分の画像信号に含まれる前記第１の画像信号と前記第２の画像信号との位相差を検出し、
前記設定手段は、前記位相差の信頼度が閾値以下の低い場合に、前記設定された読み出し領域を、該読み出し領域より前記水平方向に広く、前記垂直方向に狭い読み出し領域に更新する
ことを特徴とする請求項１に記載の撮像装置。
【請求項３】
前記設定手段は、前記画素部からの画像信号の読み出し速度に基づいて、前記更新後の読み出し領域の前記垂直方向のサイズを決定する
ことを特徴とする請求項１または請求項２に記載の撮像装置。
【請求項４】
前記表示制御手段は、前記位相差の信頼度が閾値以下の低い場合に、前記画像表示手段に表示された前記表示用画像データの更新処理を停止する
ことを特徴とする請求項１乃至３のいずれか１項に記載の撮像装置。
【請求項５】
自動焦点調節処理の実行開始を指示する指示手段を備え、
前記検出手段は、前記指示手段によって前記自動焦点調節処理の実行開始が指示されたことを契機として、前記位相差の検出を開始する
ことを特徴とする請求項１乃至４のいずれか１項に記載の撮像装置。
【請求項６】
一つのマイクロレンズに対して、撮像光学系の射出瞳の異なる領域を通過した光束を光電変換して画像信号を生成する複数の光電変換部を有する画素部を備える撮像素子を備える撮像装置の制御方法であって、
前記画素部から画像信号を読み出す領域である読み出し領域を設定する設定工程と、
前記読み出し領域から読み出された画像信号に基づいて、表示用画像データを生成する生成工程と、
前記表示用画像データの画像表示手段への表示処理と表示された表示用画像データの更新処理を制御する表示制御工程と、
前記設定された読み出し領域から読み出された画像信号に含まれる第１の画像信号と第２の画像信号との位相差を検出し、検出した位相差と該位相差の信頼度を出力する検出工程と、
前記位相差の信頼度が閾値を超える高い場合に、該検出された位相差に基づいて焦点調節処理を実行する調節工程と、前記位相差の信頼度が閾値以下の低い場合に、前記出力される位相差の信頼度が高くなるように前記設定工程で設定された前記読み出し領域を更新する更新工程とを有することを特徴とする撮像装置の制御方法。
【請求項７】
一つのマイクロレンズに対して、撮像光学系の射出瞳の異なる領域を通過した光束を光電変換して画像信号を生成する複数の光電変換部を有する画素部を備える撮像素子と、
前記画素部から画像信号を読み出す領域である読み出し領域を設定する設定手段と、
前記読み出し領域から読み出された画像信号に含まれる第１の画像信号と第２の画像信号との位相差を検出し、検出した位相差と該位相差の信頼度を出力する検出手段と、
前記位相差の信頼度が閾値を超える高い場合に、該検出された位相差に基づいて焦点調節処理を実行する調節手段とを備え、
前記設定手段は、前記位相差の信頼度が閾値以下の低い場合に、前記読み出し領域が広くなるように更新することを特徴とする撮像装置。
【請求項８】
前記設定手段は、前記位相差の信頼度が閾値以下の低い場合に、前記読み出し領域が、前記位相差が検出される方向に広くなるように更新することを特徴とする請求項７に記載の撮像装置。
【請求項９】
一つのマイクロレンズに対して、撮像光学系の射出瞳の異なる領域を通過した光束を光電変換して画像信号を生成する複数の光電変換部を有する画素部を備える撮像素子と、
前記画素部から画像信号を読み出す領域である読み出し領域を設定する設定手段と、
前記設定された読み出し領域から読み出された画像信号に基づいて、表示用画像データを生成する生成手段と、
前記表示用画像データの画像表示手段への表示処理と表示された表示用画像データの更新処理を制御する表示制御手段と、
前記読み出し領域から読み出された画像信号に含まれる第１の画像信号と第２の画像信号との位相差を検出し、該検出された位相差に基づいて焦点調節処理を実行する調節手段とを備え、
前記設定手段は、読み出される画像信号が前記表示用画像データとして表示される領域よりも広い読み出し領域を設定し、前記調節手段は、読み出される画像信号が前記表示用画像データとして表示される領域よりも広い領域からの画像信号を用いて前記位相差を検出することを特徴とする撮像装置。
【請求項１０】
一つのマイクロレンズに対して、撮像光学系の射出瞳の異なる領域を通過した光束を光電変換して画像信号を生成する複数の光電変換部を有する画素部を備える撮像素子を備える撮像装置の制御方法であって、
前記画素部から画像信号を読み出す領域である読み出し領域を設定する設定工程と、
前記読み出し領域から読み出された画像信号に含まれる第１の画像信号と第２の画像信号との位相差を検出し、検出した位相差と該位相差の信頼度を出力する検出工程と、
前記位相差の信頼度が閾値を超える高い場合に、該検出された位相差に基づいて焦点調節処理を実行する調節工程とを有し、
前記設定工程では、前記位相差の信頼度が閾値以下の低い場合に、前記読み出し領域が広くなるように更新することを特徴とする撮像装置の制御方法。
【請求項１１】
一つのマイクロレンズに対して、撮像光学系の射出瞳の異なる領域を通過した光束を光電変換して画像信号を生成する複数の光電変換部を有する画素部を備える撮像素子を備える撮像装置の制御方法であって、
前記画素部から画像信号を読み出す領域である読み出し領域を設定する設定工程と、
前記設定された読み出し領域から読み出された画像信号に基づいて、表示用画像データを生成する生成工程と、
前記表示用画像データの画像表示手段への表示処理と表示された表示用画像データの更新処理を制御する表示制御工程と、
前記読み出し領域から読み出された画像信号に含まれる第１の画像信号と第２の画像信号との位相差を検出し、該検出された位相差に基づいて焦点調節処理を実行する調節工程とを有し、
前記設定工程では、読み出される画像信号が前記表示用画像データとして表示される領域よりも広い読み出し領域を設定し、前記調節工程では、読み出される画像信号が前記表示用画像データとして表示される領域よりも広い領域からの画像信号を用いて前記位相差を検出することを特徴とする撮像装置の制御方法。
【請求項１２】
請求項１０または請求項１１に記載の撮像装置の制御方法をコンピュータに実行させることを特徴とするプログラム。
【請求項１３】
請求項１０または請求項１１に記載の撮像装置の制御方法をコンピュータに実行させることを特徴とするプログラムを記憶した記憶媒体。
【手続補正２】
【補正対象書類名】明細書
【補正対象項目名】発明の名称
【補正方法】変更
【補正の内容】
【発明の名称】撮像装置、撮像装置の制御方法、プログラムおよび記憶媒体
【手続補正３】
【補正対象書類名】明細書
【補正対象項目名】０００９
【補正方法】変更
【補正の内容】
【０００９】
本発明の一実施形態の撮像装置は、一つのマイクロレンズに対して、撮像光学系の射出瞳の異なる領域を通過した光束を光電変換して画像信号を生成する複数の光電変換部を有する画素部を備える撮像素子と、前記画素部から画像信号を読み出す領域である読み出し領域を設定する設定手段と、前記設定された読み出し領域から読み出された画像信号に基づいて、表示用画像データを生成する生成手段と、前記表示用画像データの画像表示手段への表示処理と表示された表示用画像データの更新処理を制御する表示制御手段と、前記読み出し領域から読み出された画像信号に含まれる第１の画像信号と第２の画像信号との位相差を検出し、検出した位相差と該位相差の信頼度を出力する検出手段と、前記位相差の信頼度が閾値を超える高い場合に、該検出された位相差に基づいて焦点調節処理を実行する調節手段とを備える。前記設定手段は、前記位相差の信頼度が閾値以下の低い場合に、前記出力される位相差の信頼度が高くなるように前記読み出し領域を更新する。